(57)【要約】      （修正有）【課題】燃料電池から排出された燃料ガスをガス供給系に環流させる循環系を含めた燃料電池全体としてのエネルギ効率の向上を図る燃料電池の運転方法と燃料電池システムの提供。【解決手段】アクセル操作等に応じた発電要求を達成するよう燃料電池を運転させるに当たり、燃料電池を構成する単セルの出力電圧ばらつきＳｂが設定値α以下の状況では、各単セルは出力安定状況にあることから、各単セルでは水素不足を一因とする発電効率の低下は起きていない、或いはその程度が低いとして、アノード排ガスを循環させる循環ポンプの回転数をΔｎ１だけ低減させる。その一方、出力電圧ばらつきＳｂが設定値αを越えると、水素不足を回避すべく、循環ポンプを回転数増大側に制御して、アノード排ガス循環比を大きくする。【選択図】図２
2006351336.tif 000002
【特許請求の範囲】
【請求項１】
発電の単位である単セルを複数備え、各単セルに発電用の燃料ガスを燃料ガス供給系を経て供給して発電を行う燃料電池の運転方法であって、
前記燃料電池への前記燃料ガスを供給しつつ、前記燃料電池から排出された燃料ガスを前記燃料ガス供給系に環流する循環系を介して、前記排出燃料ガスを燃料電池に環流し、
前記複数の単セルの出力状態のばらつきが所定範囲内にある状況下においては、前記循環系に設けた循環ポンプを、該循環ポンプによる循環供給量が前記複数の単セルの出力状態のばらつきが所定範囲外にある状況に比して低減する側に運転制御する
燃料電池の運転方法。
【請求項２】
発電の単位である単セルを複数備え、各単セルに発電用の燃料ガスを燃料ガス供給系を経て供給して発電を行う燃料電池システムであって、
前記燃料電池に前記燃料ガスを供給する燃料ガス供給系と、
前記燃料電池から排出された燃料ガスを前記燃料ガス供給系に環流する経路を有する循環系と、
該循環系の経路に設けられ、前記排出燃料ガスの循環供給を図る循環ポンプと、
前記複数の単セルの出力状態のばらつきが所定範囲内にある状況下においては、前記循環ポンプを、該循環ポンプによる循環供給量が前記複数の単セルの出力状態のばらつきが所定範囲外にある状況に比して低減する側に運転制御する循環制御部とを備える
燃料電池システム。
【請求項３】
請求項２記載の燃料電池システムであって、
前記循環制御部は、
前記出力状態のばらつきが所定範囲から逸脱すると、前記循環ポンプを、該循環ポンプによる循環供給量が増大する側に制御して前記排出燃料ガスの循環比を増大させる
燃料電池システム。
【請求項４】
請求項２または請求項３に記載の燃料電池システムであって、
前記循環制御部は、
前記出力状態のばらつきが前記循環ポンプの回転数低減側への運転制御を繰り返したことで所定範囲から逸脱すると、前記循環ポンプの前記循環供給量低減側への運転制御の際のポンプ運転変化より大きな変化で、前記循環ポンプを循環供給量が増大する側に制御する
燃料電池システム。
【請求項５】
請求項３または請求項４記載の燃料電池システムであって、
前記循環系を経て前記燃料ガス供給系に循環する前記排出燃料ガスを外気に放出する外気開放弁を備え、
前記循環制御部は、
前記循環ポンプの循環供給量増大側への制御によっても前記出力状態のばらつきを抑制できないときは、前記外気開放弁を開弁制御する
燃料電池システム。
【請求項６】
請求項５記載の燃料電池であって、
前記循環制御部は、
前記外気開放弁の開弁制御を行うに際して、前記出力状態に応じて前記排出燃料ガスの放出量を調整するよう、前記外気開放弁を開弁制御する
燃料電池システム。
【発明の詳細な説明】
【技術分野】
【０００１】
本発明は、発電の単位である単セルを複数備え、各単セルに発電用の燃料ガスを供給して発電を行う燃料電池に関する。
【背景技術】
【０００２】
燃料電池は、一般に、単セルの積層構造を取り、単セルは、表面に触媒層を形成する電解質層からなるＭＥＡ（Membrance Electrode Assembly）を、燃料ガス・酸化ガスのガス流路形成部材で挟持する。こうした単セルの積層構造を有する燃料電池では、燃料ガスと酸化ガスの双方のガスを各単セルに供給するに当たり、ガスごとの供給系を有する。
【０００３】
ところで、供給した燃料ガスは、その総てが各単セルにおいて水素と酸素の電気化学反応に供せられるわけではなく、燃料ガス中の一部の水素が未反応のまま単セル、延いては燃料電池から排出される。このため、この未反応水素の有効利用を図るため、燃料ガス供給系に、燃料電池から排出された燃料ガスを環流させる循環系を設けることが行われている（例えば、特許文献１）。
【０００４】
【特許文献１】特開２００４−１２７９１５号公報
【０００５】
この特許文献で提案された燃料電池では、次のようにして燃料ガス環流を制御している。水素と酸素の電気化学反応は各単セルで起きるので、単セル積層構造の燃料電池として発電効率の上からは、各単セルでの電気化学反応がほぼ均一に進行していることが望ましい。よって、単セルの出力状況により燃料電池の運転状態を推定し、例えば、単セルの出力がばらついていればその一因が水素の供給量不足にあるとして、ポンプ回転数を高めて循環ガス量を増やし、水素供給量を増加させている。
【０００６】
ポンプの特性上、その回転数を上げれば消費電力は増大する。そして、ポンプ駆動電力には燃料電池の発電電力が用いられることから、システム全体として捉えると、上記したようなポンプ回転数の一律な増大制御ではエネルギロスを招くことも有りえる。ガスの循環を図るためのポンプには、回転数により循環量を増減する構成の他、ピストンの往復動の速度やストロークで循環量を増減するピストン方式のポンプもあるが、上記の状況はこうしたピストン方式のポンプやそれ以外の構成のポンプにあっても共通している。つまり、ポンプの方式によらず循環量を増やせばそのための消費電力は増えるので、システム全体としてのエネルギロスは起き得る。
【発明の開示】
【発明が解決しようとする課題】
【０００７】
本発明は、燃料電池から排出された燃料ガスをガス供給系に環流させる循環系を採用するに際しての上記問題点を解決するためになされ、循環系を含めた燃料電池全体としてのエネルギ効率の向上を図ることをその目的とする。
【課題を解決するための手段】
【０００８】
かかる課題の少なくとも一部を解決するため、本発明では、発電の単位である単セルを複数備えた燃料電池において、各単セルに発電用の燃料ガスを供給して発電を行うに当たり、燃料電池への燃料ガスを供給しつつ、循環系を介して、燃料電池からの排出燃料ガスを燃料電池に環流させる。こうした排出燃料ガスの環流により未反応水素を含む排出燃料ガスの有効利用を図る。この場合、燃料ガスは、発電単位である単セルが備えた構成によって定まり、例えば、水素イオン透過性の電解質膜を備えた単セルであれば、水素ガスを燃料ガスとして供給することになる。また、水素とその他のガスを含有したガスを燃料ガスとして供給する場合もある。
【０００９】
その一方、複数の単セルの出力状態のばらつきが所定範囲内にある状況下においては、循環系に設けた循環ポンプを、当該循環ポンプによる循環供給量が複数の単セルの出力状態のばらつきが所定範囲外にある状況に比して低減する側に運転制御する。一般に、循環ポンプをその循環供給量が低減する側に運転すると、循環供給量が多い場合に比して消費エネルギは低減する。この結果、単セルの出力状態のばらつきが所定範囲内にある状況（出力安定状況）においては、循環ポンプの駆動に消費する電力を低減できるので、この出力安定状況にない場合に循環ポンプ消費エネルギが増えたとしても、システム全体としてのエネルギ効率は、出力安定状況における電力低減を図る分だけ高まる。
【００１０】
循環ポンプの駆動方式は、ベーンポンプやギヤポンプのように機器の回転を伴うタイプや、シリンダの往復動を伴うタイプのものがあるが、これらはいずれも回転数が低減する側の運転制御、或いは、シリンダ往復動速度やそのストロークが低減する側の運転制御において、循環供給量と消費エネルギが少なくなる。よって、これら駆動方式の循環ポンプでは、上記した循環ポンプによる循環供給量が低減する側への制御により、システム全体としてのエネルギ効率を高めることができる。
【００１１】
以上説明した本発明の燃料電池システムにおいて、出力状態のばらつきが所定範囲から逸脱すると、循環ポンプを、当該循環ポンプによる循環供給量が増大する側に制御して排出燃料ガスの循環比を増大させるようにすることもできる。こうすれば、排出燃料ガスの循環比増大により燃料ガス量を増やすことができるので、燃料ガス不足に起因する出力ばらつきを低減できる。
【００１２】
また、出力状態のばらつきが前記循環ポンプの回転数低減側への運転制御を繰り返したことで所定範囲から逸脱すると、前記循環ポンプの前記循環供給量低減側への運転制御の際のポンプ運転変化より大きな変化で、前記循環ポンプを前記循環供給量増大側に制御するようにすることもできる。こうすれば、循環ポンプの循環供給量低減側への運転制御の繰り返しにより低減していた排出燃料ガスの循環比を、速やかに増大側に転じることができるので、燃料ガス不足に起因する出力ばらつきを速やかに低減できる。
【００１３】
更に、前記循環ポンプの循環供給量増大側への制御によっても前記出力状態のばらつきを抑制できないときは、前記循環系の外気開放弁を開弁制御するようにすることもできる。こうすれば、排出燃料ガスと共に、燃料電池の単セルの燃料ガス供給側のアノードで電気化学反応に伴い生成された生成物、例えば水も外気放出できる。よって、アノードにおけるフラッディングを回避できることから、フラッディングによる出力低減も抑制できる。なお、カソードに酸素含有の空気が供給され、アノードに水素含有の燃料ガスが供給されている場合、水素と酸素の電気化学的反応の進行と並行して、空気中の窒素は、その一部がカソード側から電解質層を浸透してアノード側に達する。アノードに達した窒素は、電気化学反応に関与するものではないので不要ガスとなるが、こうした不要ガス（窒素）も外気開放弁の開弁によってアノードから外気放出されるので、アノードでの不要ガス残留（窒素残留）による影響（出力低減）も抑制できる。
【００１４】
このように外気開放弁の開弁制御を行うに当たり、前記出力状態に応じて前記排出燃料ガスの放出量を調整するよう、前記外気開放弁を開弁制御するようにすることもできる。例えば、開弁周期や開弁時間を出力状態に応じて変更し、外気開放弁を開弁制御する。こうすれば、排出燃料ガスの不用意な外気排出、アノードでの生成水の過剰な排出によるアノード側の乾燥等を抑制できる可能性がある。
【発明を実施するための最良の形態】
【００１５】
以下、本発明の実施の形態について、実施例に基づき次の順序で説明する。図１は実施例の燃料電池システム１００の構成を概略的に示すブロック図である。この燃料電池システム１００は、主に燃料電池１０と、水素タンク２０と、ブロワ３０と、制御部２００と、加湿器６０と、循環ポンプ２５０と、セル電圧モニタ３００を備えている。
【００１６】
燃料電池１０は、水素分離膜型の燃料電池であり、構成単位である単セルを複数積層したスタック構造を有している。各単セルは、電解質膜を挟んで水素極（以下、アノードと呼ぶ）と酸素極（以下、カソードと呼ぶ）とを配置した構成となっている。各々の単セルのアノード側に水素を含有する燃料ガス（以下、アノードガスと呼ぶ）を供給し、カソード側に酸素を含有する酸化ガスを供給することで、電気化学反応が進行し、燃料電池１０は発電する。燃料電池１０で生じた電力は、燃料電池１０に接続される所定の負荷（図示せず）に供給される。なお、燃料電池１０としては、上記した水素分離膜型燃料電池の他、固体高分子型燃料電池や、アルカリ水溶液電解質型や、リン酸電解質型や、あるいは溶融炭酸塩電解質型等、種々のタイプの燃料電池を用いることができる。
【００１７】
ブロワ３０は、酸化ガスとしての空気を燃料電池１０のカソード側に供給するための装置である。ブロワ３０は、カソードガス供給流路３４を介して燃料電池１０のカソード側に接続されている。カソードガス供給流路３４には、加湿器６０が設けられている。ブロワ３０で圧縮された空気は、加湿器６０によって加湿された後に燃料電池１０に供給される。燃料電池１０には、カソード排ガス流路３６が配されており、電気化学反応に供された後のカソードからの排ガス（以下、カソード排ガスと呼ぶ）は、カソード排ガス流路３６を通じて外部に排出される。
【００１８】
水素タンク２０は、高圧の水素ガスが貯蔵される貯蔵装置であり、アノードガス供給流路２４を介して燃料電池１０のアノード側に接続されている。アノードガス供給流路２４上において、水素タンク２０の近傍にはアノードガス遮断弁２３０、およびレギュレータ２２が設けられている。アノードガス遮断弁２３０は、レギュレータ２２よりも水素ガスの流れ方向に対して上流側に設けられている。このアノードガス遮断弁２３０が、閉弁状態であると、水素タンク２０からの水素ガスの供給が遮断され、開弁状態であると、水素タンク２０からの水素ガスが供給される。このアノードガス遮断弁２３０の開閉は、後述のバルブ制御部２１０により制御される。
【００１９】
水素タンク２０からアノードガス供給流路２４へ供給された高圧の水素ガスは、レギュレータ２２によって調圧される。調圧された水素ガスは、アノードガスとして燃料電池１０のアノード側へ供給される。調圧後の圧力は、燃料電池１０に接続される負荷の大きさ等に応じて適宜設定すればよい。
【００２０】
上記した水素タンク２０から燃料電池１０のアノードに到るアノードガス供給流路２４は、本発明における燃料ガス供給系に該当する。
【００２１】
なお、水素タンク２０に代えて、アルコール、炭化水素、アルデヒドなどを原料とする改質反応によって水素を生成し、アノードガス遮断弁２３０、レギュレータ２２を介して燃料電池１０のアノード側へ供給するものとしてもよい。また、電解質膜の性質によっては、水素とそれ以外のガスを含有する燃料ガスを供給するような構成とすることもできる。
【００２２】
燃料電池１０のアノード側は、ガス循環流路２８から分岐したアノード排ガス流路２６に、パージ弁２４０が設けられている。このパージ弁２４０は、電気化学反応に供された後のアノードからの排ガス（以下、アノード排ガスと呼ぶ）を、アノード排ガス流路２６を介してガス循環流路２８から外部へ排出（パージ）するためのものである。つまり、このパージ弁２４０は、ガス循環流路２８を経てアノードガス供給流路２４に循環するアノード排ガスを外気に放出する。こうしたアノード排ガスパージは、次のような場合に有効である。
【００２３】
燃料電池システム１００の運転中において、アノード排ガスには、水素以外の不要ガスが含まれる場合がある。不要ガスとしては、例えば、カソード側から電解質膜を透過してきた窒素等がある。この不要ガスは、消費されず燃料電池システム１００においてガス循環流路２８を循環し、その結果、アノードガス中の不要ガスの濃度が徐々に増加し、燃料電池１０の発電効率が低下する。そこで、後述のバルブ制御部２１０は、パージ弁２４０を制御して、定期的に、不要ガスを含むアノード排ガスを排出するようにしている。
【００２４】
なお、燃料電池１０として水素分離膜型燃料電池以外の種類のものを用いる場合や、燃料電池１０を使用する環境によっては、他の成分が不要ガスとしてアノード排ガス中に混入する場合もある。
【００２５】
アノード排ガス流路２６において、パージ弁２４０よりもアノード排ガスを排出する流れ方向に対して上流側の位置から、アノードガス供給流路２４へ接続されるガス循環流路２８が設けられている。このガス循環流路２８は、アノード排ガスを、アノードガス供給流路２４に戻すためのものであり、当該流路に設けられた循環ポンプ２５０により、図中の矢印ＨＪで示すようなアノード排ガスの循環供給を図る。
【００２６】
循環ポンプ２５０は、その回転数を増減することで、アノード排ガス量（循環量）を調整（設定）できるようになっている。これにより、ガス循環流路２８を経由して燃料電池１０に流れ込むアノード排ガスと水素タンク２０からのアノードガスとの比であるアノードガス循環比を調節することができる。このようにして、アノード排ガスに含まれる水素ガスは、循環して、アノードガスとして再び発電に使用される。なお、循環ポンプ２５０は、内部の圧力損失が大きく、運転停止時には、循環ポンプ２５０内部をほとんどガスが流れない構造となっている。循環ポンプ２５０は、後述のポンプ制御部２２０により制御される。
【００２７】
セル電圧モニタ３００は、燃料電池１０を構成する各単セルの出力状態（発電状態）を表す出力電圧を検出し、その検出値を制御部２００に出力するよう構成されている。
【００２８】
制御部２００は、マイクロコンピュータを中心とした論理回路として構成され、詳しくは、予め設定された制御プログラムに従って所定の演算などを実行するＣＰＵ（図示せず）と、ＣＰＵで各種演算処理を実行するのに必要な制御プログラムや制御データ等が予め格納されたＲＯＭ（図示せず）と、同じくＣＰＵで各種演算処理をするのに必要な各種データが一時的に読み書きされるＲＡＭ（図示せず）と、各種信号を入出力する入出力ポート（図示せず）等を備える。この制御部２００は、負荷要求に関する情報等を取得して、燃料電池システム１００を構成する各部、すなわち、ブロワ３０および加湿器６０等に駆動信号を出力し、燃料電池システム１００全体の運転状態を勘案してこれらを制御する。
【００２９】
また、制御部２００は、パージ弁２４０およびアノードガス遮断弁２３０の開閉状態の制御を行うバルブ制御部２１０と、循環ポンプ２５０の制御を行うポンプ制御部２２０としての機能を有している。燃料電池システム１００運転中には、これらバルブ制御部２１０とポンプ制御部２２０は、その運転状態を勘案して、パージ弁２４０、および、循環ポンプ２５０に駆動信号を出力し、それらをそれぞれ制御する。
【００３０】
次に、上記の機器構成を有する燃料電池システム１００で行うアノード排ガスの循環制御について説明する。図２はアノード排ガス循環制御の処理内容を表わすフローチャート、図３は循環制御におけるポンプ回転数推移を説明する説明図である。
【００３１】
図２の循環制御では、まず、アクセルセンサ等の種々のセンサ出力を読み込み、それに応じた燃料電池１０の発電要求を達成できるよう、循環ポンプ２５０やブロワ３０等を制御（発電制御）する（ステップＳ１００）。つまり、この処理では、アノード側については、アノードガス量やガス循環流路２８を介したアノード排ガスの循環比が決定され、これらに基づいて循環ポンプ２５０が制御される。カソード側も同様に、ブロワ３０が駆動制御される。燃料電池１０は、こうして供給されるアノードガスと空気とにより電気化学反応を単セルで進行させ、発電する。
【００３２】
この場合、循環ポンプ２５０の回転数は、発電要求と対応付けられたマップを用いて定められる。つまり、上記したセンサ出力に応じた発電要求を達成する水素を燃料電池１０のアノードに供給する場合、循環ポンプ２５０の運転効率（体積効率）が最も高い時のアノード排ガス循環比とこの発電要求とを予めマップに定めてこれをＲＯＭに記憶する。そして、発電要求に応じて当該マップから、アノード排ガス循環比、延いては、循環ポンプ２５０の回転数を決定する。
【００３３】
次に、セル電圧モニタ３００のから単セルの出力電圧をセンシングし（ステップＳ１１０）、単セルの出力電圧ばらつきＳｂと所定の設定値αとを対比する（ステップＳ１２０）。ここで、セル電圧ばらつきＳｂが設定値α以下であると肯定判定すると、各単セルはほぼ均一な運転状況（出力安定状況）にあることから、各単セルでは水素不足や既述した不要ガスによる発電効率の低下は起きていない、或いはその程度が低いと予想される。また、電気化学反応によって生成した水もフラッディングを起こすことから、ステップＳ１２０での肯定判定時は、フラッディングによる発電効率の低下も起きていない、或いはその程度が低いと予想される。よって、この場合は、循環ポンプ２５０の回転数をΔｎ１だけ低減させ（ステップＳ１３０）、既述したステップＳ１００以降の処理を繰り返す。
【００３４】
この単セルの出力電圧ばらつきＳｂは、単セルの出力電圧の平均値からの隔たりとして規定することができるほか、統計的な演算（例えば、分散算出や特異点除外処置等）を経て求めることもできる。つまりは、単セルの出力電圧のバラツキの程度を把握できるものであれば、種々の態様を取ることができる。
【００３５】
その一方、ステップＳ１２０で否定判定した場合は、単セルの出力電圧のばらつきが大きいことから、上記した水素不足や不要ガス或いはフラッディングが一因で出力ばらつきが大きくなっていると予想できる。よって、この場合は、単セルの出力電圧ばらつきに直結しがちな水素不足をまず補うべく、循環ポンプ２５０の回転数をΔｎ２だけ増大させて（ステップＳ１４０）、アノード排ガス循環比を増大する。その後、既述したステップＳ１００以降の処理を繰り返す。
【００３６】
こうした状況を図でもって説明すると、図３に示すように、本ルーチンが繰り返されている場合、セル電圧モニタ３００で検出した単セルの出力電圧ばらつきＳｂが設定値α以下である状況（時刻ｔ１以前、或いはｔ２以後）では、循環ポンプ２５０の回転数は、Δｎ１ずつ低減する。ところが、出力電圧ばらつきＳｂが設定値αを越えた状況（時刻ｔ１〜ｔ２）では、循環ポンプ２５０の回転数は、Δｎ２ずつ増大する。本実施例では、この回転数増減値をΔｎ１＜Δｎ２とした。
【００３７】
以上説明したように、本実施例では、セル電圧モニタ３００から得られた単セルの発電状況がその出力電圧ばらつきＳｂが設定値α以下の出力安定状況であれば（ステップＳ１２０：肯定判定）、ガス循環流路２８に設けた循環ポンプ２５０の回転数を低減制御する。このように循環ポンプ２５０を低回転数で運転した場合は、高回転運転時に比してその消費エネルギは低くなる。この結果、単セルの出力安定状況における循環ポンプ２５０での駆動電力を低減できるので、この出力安定状況にない場合に循環ポンプ消費エネルギが増えたとしても、システム全体としてのエネルギ効率を、出力安定状況における電力低減を図る分だけ高めることができる。
【００３８】
また、本実施例では、出力電圧ばらつきＳｂが設定値αを越えた状況下となると（ステップＳ１２０：否定判定）、循環ポンプ２５０を回転数増大側に制御してアノード排出ガスの循環比を増大させる。しかも、出力電圧ばらつきＳｂが設定値α以下であるために循環ポンプ２５０の回転数低減側制御を繰り返した結果（図３：時刻ｔ１以前）、出力電圧ばらつきＳｂが設定値αを越えたような場合には、回転数低減側制御が過剰なためであるとして、回転数低減側制御の際の回転数変化率（即ち、低減量Δｎ１）より大きな変化率（増減量Δｎ２）で、循環ポンプ２５０を回転数増大側に制御する。よって、循環ポンプ２５０の回転数低減側制御の繰り返しにより低減していたアノード排出ガス循環比を、速やかに増大側に転じることができるので、燃料ガス不足による単セルの出力電圧ばらつきＳｂを速やかに低減できる。
【００３９】
この場合、本実施例では、回転数の増大程度Δｎ２を一律としたが、循環ポンプ２５０の回転数低減側制御の繰り返し程度に応じて、このΔｎ２を変えるようにすることもできる。例えば、僅かな回数の循環ポンプ２５０の回転数低減側制御の繰り返しで出力電圧ばらつきＳｂが設定値αを越えたような場合には、Δｎ２をΔｎ１に近い数値（Δｎ２＞Δｎ１）とし、繰り返し回数が増えるほど、Δｎ２とΔｎ１の差分が大きくなるようにΔｎ２を定め（Δｎ２＞Δｎ１）。こうすれば、循環ポンプ２５０の回転数低減側制御の繰り返し後の回転数増大側制御の際に、回転数を過剰に増大させないようにしてアノード排ガス循環比の大きな変化を抑制しつつ、水素供給量を増やして水素不足から速やかに脱却することができる。よって、水素不足の速やかな解消に加え、単セルに供給される水素量も瞬時に大きく変化しないようにして、電気化学反応の円滑な進行の上からも好ましい。
【００４０】
また、単セルの出力電圧ばらつきＳｂが設定値αを越えたような場合における回転数の増大程度Δｎ２を、この出力電圧ばらつきＳｂの程度に応じて可変設定するようにすることもできる。例えば、出力電圧ばらつきＳｂが設定値αを越える程度が大きければ、それに応じた大きな値のΔｎ２で、循環ポンプ２５０を回転数増大側に制御する。こうすれば、速やかな水素不足からの脱却を図ることが可能となる。
【００４１】
次に、変形例について説明する。図４はアノード排ガス循環制御の変形例を表わすフローチャートである。この変形例は、ポンプ回転数を増減制御する際の増減値を単セルの出力電圧ばらつきＳｂと設定値αとの偏差に応じて算出する点に特徴がある。即ち、ステップＳ１００〜１２０までの処理を図２と同様に実行した後、ステップＳ１２０の判断に続いて、単セルの出力電圧ばらつきＳｂと設定値αとの偏差ΔＳに応じてΔｎ１とΔｎ２を算出し（ステップＳ１２５、１３５）、その算出したΔｎ１或いはΔｎ２で循環ポンプ２５０の回転数を増減制御する（ステップＳ１３０、１４０）。なお、このようにする場合でも、回転数低減のためのΔｎ１と増減のためのΔｎ２は、Δｎ２＞Δｎ１となるようにすることもできる。
【００４２】
ステップＳ１２５、１３５でのΔｎ１或いはΔｎ２の算出は、例えば、上記の偏差ΔＳに応じた補正係数をΔｎ１やΔｎ２に乗じるようにし、この補正係数ｋを、偏差ΔＳに比例した定数としたり、偏差ΔＳに応じて段階的に変化するような定数とすることができる。この補正係数ｋを、燃料電池１０の温度によって更に補正したりすることもできる。
【００４３】
上記した変形例によれば、セル電圧のばらつきが生じた原因を、より一層速やかに解消でき好ましい。
【００４４】
図５はまた別のアノード排ガス循環制御の変形例を表わすフローチャートである。この変形例は、ポンプ回転数を増大制御に上限を設け、この上限に達したらパージを行う点に特徴がある。
【００４５】
即ち、ステップＳ１００〜１４０までの処理を図２と同様に実行するものの、ステップＳ１４０にて循環ポンプ２５０の回転数を増大制御した後に、その増大制御したポンプ回転数を上限値Ｎｕｐと比較し（ステップＳ１５０）、ポンプ回転数が上限値Ｎｕｐ以下であれば、ステップＳ１００に戻る。その一方、ステップＳ１５０でポンプ回転数が上限値Ｎｕｐを上回ると判定すると、パージ弁２４０を開弁制御し（ステップＳ１６０）、アノード排ガスを外気に放出する。この上限値Ｎｕｐは、次のように定めた。
【００４６】
循環ポンプ２５０の回転数増大制御によりアノード排ガス循環比が高まり、アノードへの水素供給量は増えてアノードでの水素不足は解消する。ところが、アノードへの水素供給量を高めても、単セルの出力電圧ばらつきＳｂの抑制程度が低下することが有りえる。こうした自体は、水素不足とは異なる要因で出力にばらつきが起きたことと云え、その原因の一つに、既述したアノードでの不要ガス残留や生成水のフラッディングがある。よって、この不要ガス排出やフラッディング回避を図るため、ポンプ回転数増大を図っても出力ばらつきの抑制程度が低下する状況を実験等により見定め、その時の回転数をポンプ回転数の上限値Ｎｕｐとした。
【００４７】
ステップＳ１６０でのパージ弁２４０の開弁制御は種々の態様とでき、例えば、ステップＳ１５０での否定判定後において、パージ弁２４０を所定の開弁時間ＰＳＴに亘って開弁したままに制御する。また、この際の開弁時間ＰＳＴを、単セルの出力電圧ばらつきＳｂと設定値αとの偏差ΔＳが大きいほど長くなるように、偏差ΔＳに応じて長短設定するようにすることもできる。この他、次のようにすることもできる。図６はパージ弁２４０の開弁制御の様子の一例を示す説明図である。
【００４８】
図６に示すパージ弁制御では、ステップＳ１６０で否定判定した時刻ｔａ以降の開弁時間ＰＳＴの間において、パージ弁２４０を間歇的に開弁制御するようにする。そして、このパージ弁２４０の間歇的な開弁の開弁周期ＰＳと開弁時間ＰＯＮとを、予め定めたものとしたり、この開弁周期ＰＳと開弁時間ＰＯＮについても、開弁時間ＰＳＴの場合と同様、単セルの出力電圧ばらつきＳｂと設定値αとの偏差ΔＳに応じて長短設定するようにすることもできる。
【００４９】
以上説明したような態様でのパージ弁２４０の開弁制御を行うと、次のような利点がある。
【００５０】
既述したように、循環ポンプ２５０の回転数増大制御（ステップＳ１４０）を経ると、アノード排ガスの循環比を高めて水素不足を一因とするセル電圧のばらつきを抑制できるが、水素不足以外の原因でセル電圧のばらつきが生じることもある。こうした水素不足以外の原因によるセル電圧ばらつきの抑制には、ポンプ回転数増大制御では限界がある。よって、ポンプ回転数増大制御を行う際のポンプ回転数に上限を設け、この上限値Ｎｕｐにポンプ回転数が達すると、ガス循環流路２８を含む循環系を構成するアノード排ガス流路２６のパージ弁２４０を開弁制御するのである。
【００５１】
こうすれば、燃料電池１０の各セルにおけるアノードからは、アノード排ガスと共に、アノードでの生成水や既述した窒素等の不要ガスを外気に放出できる。よって、生成水により起きたフラッディングや不要ガス残留が原因で起きる単セルの出力電圧ばらつきについても抑制でき、好ましい。
【００５２】
また、パージ弁２４０の開弁制御を行うに当たり、既述したように単セルの出力電圧ばらつきＳｂと設定値αとの偏差ΔＳに応じてパージ弁２４０を開弁制御するようにした（図５：ステップＳ１６０）。よって、アノード排ガスを不用意に過剰に外気排出したりすることや、アノードでの生成水の過剰な排出を回避できる。アノード生成水はアノードの湿潤に影響を及ぼすことから、アノード生成水の過剰な排出回避により、アノード側の乾燥等を抑制でき好ましい。
【００５３】
以上、本発明の実施例について説明したが、本発明は、上記した実施の形態に限られるものではなく、その要旨を逸脱しない範囲において種々の態様にて実施することが可能である。
【００５４】
例えば、上記の変形例では、循環ポンプ２５０の回転数増大制御によりポンプ回転数がその上限値Ｎｕｐに達するとパージ弁２４０を開弁制御してアノード排ガスを外気に放出するようにした。そして、こうしたパージ弁の開弁制御を、単セルの出力電圧ばらつきＳｂが所定値以下の場合にポンプ回転数を低減制御することと併用したが、上記のパージ弁開弁制御は、単独で実行することもできる。
【図面の簡単な説明】
【００５５】
【図１】実施例の燃料電池システム１００の構成を概略的に示すブロック図である。
【図２】アノード排ガス循環制御の処理内容を表わすフローチャートである。
【図３】循環制御におけるポンプ回転数推移を説明する説明図である。
【図４】アノード排ガス循環制御の変形例を表わすフローチャートである。
【図５】また別のアノード排ガス循環制御の変形例を表わすフローチャートである。
【図６】パージ弁２４０の開弁制御の様子の一例を示す説明図である。
【符号の説明】
【００５６】
１０...燃料電池
２０...水素タンク
２２...レギュレータ
２４...アノードガス供給流路
２６...アノード排ガス流路
２８...ガス循環流路
３０...ブロワ
３４...カソードガス供給流路
３６...カソード排ガス流路
６０...加湿器
１００...燃料電池システム
２５０...循環ポンプ
３００...セル電圧モニタ
２３０...アノードガス遮断弁
２４０...パージ弁
２００...制御部
２１０...バルブ制御部
２２０...ポンプ制御部
【図１】
2006351336.tif 000003
【図２】
2006351336.tif 000004
【図３】
2006351336.tif 000005
【図４】
2006351336.tif 000006
【図５】
2006351336.tif 000007
【図６】
2006351336.tif 000008